(57)【要約】  【課題】  既存の被服を用いて大幅な被服の改造することなく、有機ＥＬパネルなどディスプレイである表示部を着脱可能に取り付けることができ、ディスプレイの発熱による着用者の違和感を低減させる被服を提供する。  【解決手段】  上着１０には胸ポケット１５が設けられており、表示部材１１は表示部２５と挿入部２３が設けられている。そして、胸ポケット１５に設けられている係止部材１９によって係止すると、挿入部２３が脱出することができなくなって表示部材１１の取り付けが確実となる。そして、洗濯の際や、上着１０又はディスプレイの交換を容易に行うことができる。また、表示部２５と上着１０との間には隙間を有し、断熱性の有する裏布部３１により着用者の違和感が低減される。【選択図】  図６
2005194659.tif 000002
【特許請求の範囲】
【請求項１】
被服又は装身具の外部に表示部を取り付ける表示部取付構造であって、表示部の表示は電気を用いて行われるものであり、前記表示部と被服又は装身具との間に隙間を設けたことを特徴とする表示部取付構造。
【請求項２】
表示部の上部で被服又は装身具と連結していることを特徴とする請求項１に記載の表示部取付構造。
【請求項３】
表示部は、表示部の上部を支点として揺動可能であることを特徴とする請求項２に記載の表示部取付構造。
【請求項４】
表示部の裏側及び被服又は装身具の表側の少なくともいずれか一方には突起が設けられていることを特徴とする請求項２又は３に記載の表示部取付構造。
【請求項５】
被服又は装身具の外部に表示部を取り付ける表示部取付構造であって、表示部の表示は電気を用いて行われるものであり、表示部と被服又は装身具の着用者との間には断熱性を有する部材が配置されていることを特徴とする表示部取付構造。
【請求項６】
断熱性を有する部材は、被服又は装身具の裏側に固定されていることを特徴とする請求項５に記載の表示部取付構造。
【請求項７】
断熱性を有する部材は、被服又は装身具を構成する生地よりも剛性を有することを特徴とする請求項５又は６に記載の表示部取付構造。
【請求項８】
表示部が設けられる表示部材には挿入部が設けられており、前記挿入部が断熱性を有するものであることを特徴とする請求項５〜７のいずれかに記載の表示部取付構造。
【請求項９】
被服又は装身具には外部に露出する開口を有するポケットが設けられ、前記ポケットの開口には開口の一部を閉塞することができる脱着可能な係止部材が設けられており、表示部が設けられる表示部材には挿入部が設けられて、表示部と挿入部とは連結手段によって連結されており、前記挿入部をポケットに挿入して前記係止部材により開口の一部を閉塞することにより、挿入部の外部の脱出を阻止することを特徴とする請求項１〜８のいずれかに記載の表示部取付構造。
【請求項１０】
被服又は装身具の外部に表示部材を取り付ける表示部取付構造であって、前記被服又は装身具には外部に露出する切れ目が設けられ、前記切れ目には切れ目の一部を閉塞することができる脱着可能な係止部材が設けられており、前記表示部材には表示部及び挿入部が設けられて、表示部と挿入部とは連結手段によって連結されており、前記挿入部を切れ目に挿入して前記係止部材により切れ目の一部を閉塞することにより、挿入部の外部の脱出を阻止することを特徴とする請求項１〜８のいずれかに記載の表示部取付構造。
【請求項１１】
前記挿入部には連結手段側の幅が狭くなる幅狭部が設けられており、挿入部をポケット又は切れ目に挿入した状態で前記幅狭部がポケットの開口付近又は切れ目付近に位置していることを特徴とする請求項９又は１０に記載の表示部取付構造。
【請求項１２】
表示部及び挿入部は板状であって互いに面が平行となるように配置されており、連結部によって前記配置が維持されることを特徴とする８〜１１のいずれかに記載の表示部取付構造。
【請求項１３】
表示部材の表示部の裏側には、被服又は装身具と固定が可能な固定部材が設けられていることを特徴とする請求項１〜１２のいずれかに記載の表示部取付構造。
【請求項１４】
表示部の裏側及び被服又は装身具の表側に突起状の固定部材が設けられていることを特徴とする請求項１３に記載の表示部取付構造。
【請求項１５】
被服又は装身具には表示部の表示を行うためのバッテリーを収納するバッテリー収納部が設けられていることを特徴とする請求項１〜１４のいずれかに記載の表示部取付構造。
【発明の詳細な説明】
【技術分野】
【０００１】
本発明は、上着、シャツ、ズボンなどの被服や装身具などに、表示部を取り付ける構造にするものである。
【背景技術】
【０００２】
上着、シャツ、ズボンなどの被服を店員の制服に用いている場合には、その制服にその店の表示などを行っている。そして、これにより客などが店員であることを認識することができる。
【０００３】
また、制服などの被服に表示部を設け、表示部を用いて広告などを行う技術が特許文献１に開示されている。
【特許文献１】国際公開第ＷＯ０３／０２８４９６号パンフレット
【発明の開示】
【発明が解決しようとする課題】
【０００４】
近年、液晶ディスプレイ、エレクトロルミネンスディスプレイ、プラズマディスプレイなどのディスプレイ技術が進歩し、被服などの表示部として適用性のある、薄型で軽量であって、さらには柔軟性のあるディスプレイが開発されてきている。
【０００５】
そして、これらのディスプレイを被服に取り付けた場合、被服を洗濯する際や被服が破損した場合などには、ディスプレイを取り外す必要がある。したがって、ディスプレイを被服に着脱可能に取り付けるのが望ましい。しかしながら、このようなディスプレイを着脱可能に取り付けるには、従来の被服の構造を大幅に変更し、場合によっては特製のものを用いなければならなかった。したがって、既存の被服を大幅に改造せずに、ディスプレイを着脱可能に取り付けることができ、取り付けた状態では確実に外れないようにすることが難しいものであった。
【０００６】
また、電気を用いて表示を行うディスプレイは、ディスプレイ自体が発熱するため、取付部付近の温度が上昇し、被服を着用している者が違和感を感じてしまう。
【０００７】
さらに、このような表示部を被服に取り付ける場合だけでなく、装身具に表示部を取り付ける場合にも同様な問題があった。
【０００８】
そこで、本発明の目的は、既存のものを用い、大幅な被服の改造することなく、表示部を着脱可能に取り付けることができる被服及び装身具の表示部取付構造を提供することを課題とするものである。
また、電気を用いて表示を行うディスプレイなどを用いた場合でも、発熱による違和感のない被服及び装身具の表示部取付構造を提供することを課題とするものである。
【課題を解決するための手段】
【０００９】
そして、上記した目的を達成するための請求項１に記載の発明は、被服又は装身具の外部に表示部を取り付ける表示部取付構造であって、表示部の表示は電気を用いて行われるものであり、前記表示部と被服又は装身具との間に隙間を設けたことを特徴とする表示部取付構造である。
【００１０】
請求項１に記載の発明によれば、電気を用いて行われる表示部と被服又は装身具との間に隙間が設けられているので、効率よく放熱することができる。
【００１１】
請求項２に記載の発明は、表示部の上部で被服又は装身具と連結していることを特徴とする請求項１に記載の表示部取付構造である。
【００１２】
請求項２に記載の発明によれば、表示部の上部で被服又は装身具と連結しているので、表示部の取付構造を容易に製作することができる。
【００１３】
請求項３に記載の発明は、表示部は、表示部の上部を支点として揺動可能であることを特徴とする請求項２に記載の表示部取付構造である。
【００１４】
請求項３に記載の発明によれば、表示部の上部を支点として揺動可能であるので、使用者の動きに応じて、表示部が揺動するので、さらに効率よく放熱を行うことができる。
【００１５】
請求項４に記載の発明は、表示部の裏側及び被服又は装身具の表側の少なくともいずれか一方には突起が設けられていることを特徴とする請求項２又は３に記載の表示部取付構造である。
【００１６】
請求項４に記載の発明によれば、表示部の裏側及び被服又は装身具の表側の少なくともいずれか一方には突起が設けられているので、着用している者がどのような体勢であっても、表示部と被服の間の隙間を確保することができる。
【００１７】
請求項５に記載の発明は、被服又は装身具の外部に表示部を取り付ける表示部取付構造であって、表示部の表示は電気を用いて行われるものであり、表示部と被服又は装身具の着用者との間には断熱性を有する部材が配置されていることを特徴とする表示部取付構造である。
【００１８】
請求項５に記載の発明によれば、表示部と被服又は装身具の着用者との間には断熱性を有する部材が配置されているので、表示部で発生した熱が被服又は装身具を通じて被服を着用している者に伝達することを抑えることができる。
【００１９】
請求項６に記載の発明は、断熱性を有する部材は、被服又は装身具の裏側に固定されていることを特徴とする請求項５に記載の表示部取付構造である。
【００２０】
請求項６に記載の発明によれば、断熱性を有する部材は被服又は装身具の裏側に固定されているので、被服の外観を変えることなく、表示部で発生した熱が被服を通じて被服を着用している者に伝達することを抑えることができる。
【００２１】
請求項７に記載の発明は、断熱性を有する部材は、被服又は装身具を構成する生地よりも剛性を有することを特徴とする請求項５又は６に記載の表示部取付構造である。
【００２２】
請求項７に記載の発明によれば、断熱性を有する部材は剛性を有するので、表示部の重量を支えやすい。
【００２３】
請求項８に記載の発明は、表示部が設けられる表示部材には挿入部が設けられており、前記挿入部が断熱性を有するものであることを特徴とする請求項５〜７のいずれかに記載の表示部取付構造である。
【００２４】
請求項８に記載の発明によれば、表示部材に設けられる挿入部が断熱性を有するので、機能を兼用して部材の点数を少なくすることができる。
【００２５】
請求項９に記載の発明は、被服又は装身具には外部に露出する開口を有するポケットが設けられ、前記ポケットの開口には開口の一部を閉塞することができる脱着可能な係止部材が設けられており、表示部が設けられる表示部材には挿入部が設けられて、表示部と挿入部とは連結手段によって連結されており、前記挿入部をポケットに挿入して前記係止部材により開口の一部を閉塞することにより、挿入部の外部の脱出を阻止することを特徴とする請求項１〜８のいずれかに記載の表示部取付構造である。
【００２６】
請求項９に記載の発明によれば、ポケットに設けられた係止部材によりポケットの開口の一部を閉塞することができるので、挿入部の外部の脱出を阻止して、表示部材の取付を行うことができる。
【００２７】
請求項１０に記載の発明は、被服又は装身具の外部に表示部材を取り付ける表示部取付構造であって、前記被服又は装身具には外部に露出する切れ目が設けられ、前記切れ目には切れ目の一部を閉塞することができる脱着可能な係止部材が設けられており、前記表示部材には表示部及び挿入部が設けられて、表示部と挿入部とは連結手段によって連結されており、前記挿入部を切れ目に挿入して前記係止部材により切れ目の一部を閉塞することにより、挿入部の外部の脱出を阻止することを特徴とする請求項１〜８のいずれかに記載の表示部取付構造である。
【００２８】
請求項１０に記載の発明によれば、切れ目に設けられた係止部材により切れ目の一部を閉塞することができるので、挿入部の外部の脱出を阻止して、表示部材の取付を行うことができる。
【００２９】
請求項１１に記載の発明は、前記挿入部には連結手段側の幅が狭くなる幅狭部が設けられており、挿入部をポケット又は切れ目に挿入した状態で前記幅狭部がポケットの開口付近又は切れ目付近に位置していることを特徴とする請求項９又は１０に記載の表示部取付構造である。
【００３０】
請求項１１に記載の発明によれば、前記挿入部には連結手段側の幅が狭くなる幅狭部が設けられ、挿入部を挿入した状態で前記幅狭部がポケットの開口付近又は切れ目付近に位置しているので、確実に表示部材を取り付けることができる。
【００３１】
請求項１２に記載の発明は、表示部及び挿入部は板状であって互いに面が平行となるように配置されており、連結部によって前記配置が維持されることを特徴とする８〜１１のいずれかに記載の表示部取付構造である。
【００３２】
請求項１２に記載の発明によれば、表示部及び挿入部は板状であって互いに面が平行となるように配置されており、連結部によって前記配置が維持されるので、着用者が動いても表示部の位置を安定させることができる。
【００３３】
請求項１３に記載の発明は、表示部材の表示部の裏側には、被服又は装身具と固定が可能な固定部材が設けられていることを特徴とする請求項１〜１２のいずれかに記載の表示部取付構造である。
【００３４】
請求項１３に記載の発明によれば、表示部材の表示部の裏側には、被服又は装身具と固定が可能な固定部材が設けられているので、表示部の揺動を低減させることができる。
【００３５】
請求項１４に記載の発明は、表示部の裏側及び被服又は装身具の表側に突起状の固定部材が設けられていることを特徴とする請求項１３に記載の表示部取付構造である。
【００３６】
請求項１４に記載の発明によれば、表示部の裏側及び被服又は装身具の表側に突起状の固定部材が設けられているので、固定部材によって隙間を設けることが可能となる。
【００３７】
また、被服又は装身具にバッテリーを収納するバッテリー収納部を設けることができる（請求項１５）。このバッテリーは電源となるものであればよく、ソーラーパネルなども含まれる。
【発明の効果】
【００３８】
本発明によれば、既存の被服を用いて大幅な被服の改造することなく、表示部を着脱可能に取り付けることができる。
【発明を実施するための最良の形態】
【００３９】
以下さらに本発明の具体的実施例について説明する。
図１は、本発明の第１の実施形態の被服の表示部取付構造の正面図である。図２は、本発明の第１の実施形態に用いる被服の胸ポケット付近を拡大した正面図である。図３は、本発明の第１の実施形態に用いる表示部材を拡大した正面図及び側面図である。図４〜図６は、本発明の第１の実施形態に用いる被服の胸ポケット付近及び表示部材を拡大した斜視図である。図７は、本発明の変形例の被服の表示部取付構造の正面図である。図８は本発明の変形例の表示部取付構造の拡大した正面図である。図９及び図１０は、本発明の第２の実施形態に用いる被服の袖口付近及び表示部材を拡大した斜視図である。図１１は、本発明の第２の実施形態に用いる被服の袖口付近及び表示部材を拡大した側面図である。図１２は、リストバンドを用いた実施例の斜視図である。
【００４０】
本発明の実施形態における表示部取付構造１は、図１に示されており、被服である上着（被服）１０、表示部材１１、バッテリー１２及び導線１３により構成されている。
【００４１】
上着１０は、長袖シャツ状であり、胸ポケット１５と、バッテリー収納部１６が設けられている。
【００４２】
胸ポケット１５は、図２に示されるように、通常のものと同様に、表面に布を縫製して内部に保持部１５ａが設けられるようにして形成される。そして、この縫製は上側以外が行われており、上側に開口２０を有している。胸ポケット１５の形状は５角形であり、野球のホームベースに似た形状である。
【００４３】
また、胸ポケット１５には係止部材１９が設けられている。係止部材１９は、具体的にはボタン孔２１とボタン２２である。ボタン孔２１は胸ポケット１５の表側に２カ所設けられており、ボタン孔２１に対応する部分に２カ所のボタン２２が設けられている。ボタン孔２１及びボタン２２は開口２０付近であり、胸ポケット１５の上側両端付近である。したがって、ボタン孔２１とボタン２２とを係合すると、開口２０の両側を閉塞して、開口２０の中央付近のみが開放し、開口２０の一部を閉塞することができる。
【００４４】
また、上着１０の胸ポケット１５の裏側には、裏布部３１が設けられている。裏布部３１は上着１０を構成する生地よりも程度剛性を有しており、表示部材１１による荷重を支える場合に補強するものである。そして、裏布部３１は断熱性があり、上着１０の外部の温度が上昇しても内部の温度上昇を抑えることができる。
裏布部３１は、胸ポケット１５よりも大きく、裏布部３１の投影面が胸ポケット１５全体を覆われるように配置されている。裏布部３１は縫製により固定されている。
【００４５】
表示部材１１は、図３に示されており、板状の表示部２５及び挿入部２３を有しており、表示部２５と挿入部２３とは連結部２７で連結している。そして、連結部２７の位置は上側に位置している。
【００４６】
表示部２５は、所定の静止画や動画を表示できるものであり、具体的には、有機エレクトロルミセンスパネル（以下有機ＥＬパネル）２６が取り付けられている。有機ＥＬパネル２６は、柔軟性を有し所定の信号によって発光するものであり、あらかじめ、表示する内容を記憶した記憶部（図示せず）からの指示によって表示が行われる。なお、表示する内容を外部からの無線によって送られるデータにより有機ＥＬパネル２６に表示させてもよい。この場合には、有機ＥＬパネル２６に接続される受信部を設けて、この受信部を通じて表示のためのデータが伝達される。
なお、この有機ＥＬパネル２６の代わりに、液晶パネルやプラズマディスプレイパネルなどを用いることができる。
【００４７】
挿入部２３は、胸ポケット１５に挿入することができる部材であり、所定の形状を保つ程度に剛性を有し、また、断熱性を有している。具体的には、樹脂板が用いられている。
【００４８】
そして、上着１０を着用した場合には、挿入部２３及び裏布部３１は、表示部２５と着用者との間に位置する。したがって、表示部２５で発生した熱の伝達を抑制し、特に、本実施形態では、挿入部２３及び裏布部３１の２重の断熱効果がある。
【００４９】
また、表示部２５及び挿入部２３は、板状であって、連結部２７で連結している側である上側の幅が小さくなっている。
具体的には、表示部２５には本体部２５ａと本体部２５ａの上側に設けられた幅狭部２５ｂを有し、本体部２５ａには有機ＥＬパネル２６が取り付けられている。幅狭部２５ｂは、本体部２５ａよりも幅が狭く、本体部２５ａの中央付近に配置されている。
【００５０】
挿入部２３には、本体部２３ａと本体部２３ａの上側に設けられた幅狭部２３ｂを有し、本体部２３ａが胸ポケット１５に挿入される。挿入部２３の上部の形状は表示部２５の形状とほぼ同じであり、幅狭部２３ｂは、本体部２３ａよりも幅が狭く、本体部２３ａの中央付近に配置されている。下部の形状は胸ポケット１５の形状とほぼ同じである。ただし、本体部２３ａの下側の先端の角を取って丸めた小丸部２３ｃが設けられている。
【００５１】
この小丸部２３ｃにより、挿入部２３が胸ポケット１５に挿入された場合に、挿入部２３の本体部２３ａの下側の先端のみが局所的に接触することを防止して、胸ポケット１５の破損を防止する。
このように、挿入部２３が胸ポケット１５等に入れられるには、挿入部２３の角を取って小丸部２３ｃを形成するのが望ましい。
【００５２】
そして、表示部２５の突出部２５ｂと、挿入部２３の突出部２３ｂが連結部２７によって連結されている。連結部２７は、具体的には金属製の止め金が用いられており、連結部２７によって挿入部２３と表示部２５との面が平行となるように固定された状態で配置されている。したがって、表示部材１１を取り付けた場合に、着用した者が動いても表示部２５の表示が見やすい。
【００５３】
なお、表示部２５は連結部２７を支点として揺動するようにしてもよい。この場合には、上着１０を着用した者の動きによって表示部２５が揺動し、有機ＥＬパネル２６による発熱の放熱を効率よく行うことができる。
【００５４】
また、表示部２５の下部の裏側には突起３０が設けられている。突起３０は、表示部材１１を上着１０に取り付けた状態で、表示部２５の全体が胸ポケット１５と接触することを防止して、表示部２５と胸ポケット１５との隙間を確保することができる。そして、有機ＥＬパネル２６を使用することにより発熱した場合でも、表示部２５と有機ＥＬパネル２６との間の放熱空間を確保することができる。
そして、このような突起３０を複数設けることにより、例えば、表示部２５と上着１０とが密着するような状態となっても隙間を確保することができる。
【００５５】
有機ＥＬパネル２６は導線１３を介してバッテリー１２と接続され、バッテリー１２の電力を用いて表示が行われる。また、バッテリー１２は、上着１０のバッテリー収納部１６に収納されている。バッテリ収納部１６は、上着１０の肩部付近に設けられており、バッテリー収納部１６の開口１７部分は首側に位置している。また、バッテリー１２を収納した後に、開口１７部分を封鎖することができるように、面ファスナー１７ａが設けられている。
【００５６】
そして、バッテリ収納部１６付近及び胸ポケット１５付近には図示しない孔が設けられ、導線１３はその孔を通じて上着１０内側を配線されて、有機ＥＬパネル２６とバッテリー１２とが接続されている。
【００５７】
表示部材１１を上着１０に取り付ける際には、図４〜図６に示されるようにして行われる。
まず、胸ポケット１５に設けられた係止部材１９のボタン２２をボタン孔２１から外した状態として、胸ポケット１５に表示部材１１の挿入部２３を挿入する。この挿入の際には、表示部２５が胸ポケット１５の外側となるようにする。
【００５８】
そして、この胸ポケット１５に表示部材１１の挿入部２３を挿入した状態が、図５に示されている。この状態では、挿入部２３の下側は胸ポケット１５の下側に接触して、表示部材１１が胸ポケット１５により支えられている。また、表示部材１１の挿入部２３の幅狭部２３ｂは、胸ポケット１５の中央付近から開口２０の上側に露出している。
【００５９】
さらに、係止部材１９のボタン２２をボタン孔２１に嵌めて胸ポケット１５の開口２０の両端側を封鎖して、図６の様な状態となる。このとき、挿入部２３の幅狭部２３ｂは開口２０の中央付近に位置しているので、係止部材１９による開口２０の封鎖が可能である。
【００６０】
図６に示されるように、挿入部２３の本体部２３ａは、係止部材１９により、上部に脱出することができないので、表示部材１１は、胸ポケット１５から外れることはない。特に、裏布部３１が設けられており、胸ポケット１５に加わる力を裏布部３１の全体によって支えることができるので、胸ポケット１５付近が部分的に破損するおそれが小さい。
【００６１】
そうして、表示部材１１を上着１０に取り付け、有機ＥＬパネル２６を導線１３によってバッテリー１２と接続し、有機ＥＬパネル２６に所定の画像を表示する。この表示は、広告のための画像などが行われる。
【００６２】
また、表示部材１１は、上記操作と逆の操作を行うことにより、取り外すことができる。したがって、上着１０の洗濯の際や、上着１０又は表示部材１１が破損していずれかを交換する場合に取り外して行うことができる。
【００６３】
上記実施形態では、係止部材１９として、ボタン２２を用いたが、胸ポケット１５の開口２０の一部を閉塞することができ、脱着可能なものであればどのようなものでもよく、例えば、面ファスナー、ファスナー、スナップなどを用いても良い。また、挿入部２３が挿入された状態で連結部２７が露出し、係止部材１９によって挿入部２３の外部への脱出を阻止できれば、幅狭部２３ｂ以外の形状でも構わない。例えば、係止部材１９に相当する部分に貫通孔を設けることにより、挿入部２３の外部への脱出を阻止することができる。
【００６４】
また、上記実施形態の表示部取付構造１では上着１０を用いたものであったが他の被服であってもよい。さらに、表示部材１１の取付位置は胸であったが、他の部分であったもよく、腕や背中や袖などにポケットを設けて行うことができる。
【００６５】
例えば、図７に示されるように、上着１０の袖口部分にポケット６０をもうけて、そこに、上記の実施形態に示した方法と同様に、表示部２５及び挿入部２３が設けられた表示部材１１を取り付ける。また、袖口には裏布３１が設けられている。
【００６６】
さらに、上着１０には、ソーラーパネル５７が設けられている。ソーラーパネル５７は、光エネルギーを電気エネルギーに変換することができるものであり、肩部付近に取り付けられている。そして、図７に示すように、ソーラーパネル５７と表示部２５の有機ＥＬパネル２６とを導線１３によって接続している。したがって、ソーラーパネル５７に光が当たると有機ＥＬパネル２６に電気を供給することができ、表示を行うことができる。
なお、このようなソーラーパネル５７は、上記した実施形態のバッテリー１２の代わりに用いることができる。
【００６７】
そして、この導線１３は、図７に示されるように、使用の際に邪魔とならないように、２カ所のハト穴５８により、上着１０の内側を通っている。
【００６８】
次に、第２の実施形態について説明する。
図９に示されるように、第２の実施形態の表示部取付構造２は上着１０の袖口に切れ目５０に表示部材１１を取り付けたものである。表示部取付構造２は、袖口の２カ所のボタン２２を係止部材１９として使用するものであり、ポケットを用いることなく取り付けることができる。表示部取付構造２では、通常のシャツのボタン２２をそのまま利用することができる。
【００６９】
また、表示部取付構造２に用いられる表示部材１１は、図９に示されるように、挿入部２３は湾曲した板状のものが用いられており、この湾曲は、手首に合わせて形成されている。そして、表示部材１１を取り付ける際には袖口の切れ目５０に湾曲した挿入部２３を挿入して、ボタン２２を留め、図１０、図１１に示されるように、表示部２５を腕に巻き付けるようにする。
【００７０】
このとき、表示部２５の裏側及び上着１０の表側には面ファスナー５５が設けられているので、表示部２５側の面ファスナー５５ａと、上着１０側の面ファスナー５５ｂとを合わせて固定することができる。この面ファスナー５５は突起としても機能するので、図１１に示されるように、隙間５６を設けることができる。
なお、突起状であって上着１０と表示部２５との固定ができるものとしては、面ファスナー５５以外にも、ドットボタンなどを用いることができる。
【００７１】
また、図７、図８で示されたものと同様に、上着１０には、ソーラーパネル５７が設けられている。そして、ソーラーパネル５７と表示部２５の有機ＥＬパネル２６とをつなぐ導線１３は、使用の際に邪魔とならないように、２カ所のハト穴５８により、上着１０の内側を通っている。
【００７２】
上記した実施形態など、袖口に表示部２５を設ける場合には、揺動しやすいので、このような固定部材を設けることにより、揺動を抑えることができる。
【００７３】
さらに、胸ポケット１５を用いずに表示部２５を被服との間に隙間を設けるようにして取り付けてもよく、また、裏布３１や挿入部２３以外の部材を用いて断熱性を有する部材を、表示部２５が設けられる位置に配置することもできる。
そして、裏布部３１に、絶縁性能、耐衝撃性能を付与し、絶縁、安全性を高めることができる。
【００７４】
また、表示部２５には、有機ＥＬパネル２６が用いられていたが、液晶ディスプレイやプラズマディスプレイなどの他のディスプレイパネルを用いて表示することができる。
【００７５】
さらに、有機ＥＬパネル２６などを表示部２５を取り付ける対象は上着１０以外の被服でもよく、また、装身具を用いて行ってもよい。
【００７６】
例えば、図１１に示されるような、表示部取付構造４のように、リストバンド（装身具）７０に有機ＥＬパネル２６を有する表示部２５を取り付け、表示部２５と着用者の間に断熱性を有する断熱部材７１を配置することができる。また、表示部取付構造４では、表示部２５とリストバンド７０との間に隙間７２が設けられている。
【００７７】
リストバンド７０では、表示部２５と着用者との間に断熱部材７１と隙間７２とが設けられているが、断熱部材７１のみ、又は、隙間７２のみとすることもできる。
【００７８】
また、表示部２５の電気を供給するために設けられる導線１３は、上記した実施形態と同様にバッテリー１２やソーラーパネル５７などに接続される。この場合、使用者が着用している被服にバッテリー１２やソーラーパネル５７を設置し、また、この構造を上記した実施形態と同様な構造とすることができる。
【００７９】
さらに、リストバンド７０以外にも、ベルトなどの他の装身具に表示部２５を設けることもできる。
【図面の簡単な説明】
【００８０】
【図１】本発明の第１の実施形態の被服の表示部取付構造の正面図である。
【図２】本発明の第１の実施形態に用いる被服の胸ポケット付近を拡大した正面図である。
【図３】本発明の第１の実施形態に用いる表示部材を拡大した正面図及び側面図である。
【図４】本発明の第１の実施形態に用いる被服の胸ポケット付近及び表示部材を拡大した斜視図である。
【図５】本発明の第１の実施形態に用いる被服の胸ポケット付近及び表示部材を拡大した斜視図である。
【図６】本発明の第１の実施形態に用いる被服の胸ポケット付近及び表示部材を拡大した斜視図である。
【図７】本発明の変形例の被服の表示部取付構造の正面図である。
【図８】本発明の変形例の表示部取付構造の拡大した正面図である。
【図９】本発明の第２の実施形態に用いる被服の袖口付近及び表示部材を拡大した斜視図である。
【図１０】本発明の第２の実施形態に用いる被服の袖口付近及び表示部材を拡大した斜視図である。
【図１１】本発明の第２の実施形態に用いる被服の袖口付近及び表示部材を拡大した側面図である。
【図１２】リストバンドを用いた実施例の斜視図である。
【符号の説明】
【００８１】
１、２、４  表示部取付構造
１０    上着（被服）
１１    表示部材
１２    バッテリー
１５    胸ポケット
１６    バッテリー収納部
２３    挿入部
２３ｂ  幅狭部
２５    表示部
２７    連結部
３０    突起
３１    裏布部
５０    切れ目
５５、５５ａ、５５ｂ    面ファスナー
５７    ソーラーパネル
６０    ポケット
７０    リストバンド（装身具）
７１    断熱部材
７２    隙間    
【図１】
2005194659.tif 000003
【図２】
2005194659.tif 000004
【図３】
2005194659.tif 000005
【図４】
2005194659.tif 000006
【図５】
2005194659.tif 000007
【図６】
2005194659.tif 000008
【図７】
2005194659.tif 000009
【図８】
2005194659.tif 000010
【図９】
2005194659.tif 000011
【図１０】
2005194659.tif 000012
【図１１】
2005194659.tif 000013
【図１２】
2005194659.tif 000014